(57)【要約】【課題】ＣＯやＮＯｘの低減性能を向上させるとともに、燃焼の安定化を図ることにある。【解決手段】第１の混合気（主混合気ｆ１）により火炎（主火炎Ｆ１）を生成する複数の炎孔（主炎孔１０）と、前記炎孔の周囲に配置され（全周保炎）、前記第１の混合気と異なる空気比の第２の混合気（補助混合気ｆ２）により補助火炎（Ｆ２）を生成する複数の補助炎孔（６−１、６−２）とを備え、前記第１の混合気および前記第２の混合気は空気比が１より大きいことを特徴とする。【選択図】    図１
2018025380.tif 000002
【特許請求の範囲】
【請求項１】
第１の混合気により火炎を生成する複数の炎孔と、
前記炎孔の周囲に配置され、前記第１の混合気と異なる空気比の第２の混合気により補助火炎を生成する複数の補助炎孔と、
を備え、前記第１の混合気および前記第２の混合気は空気比が１より大きいことを特徴とするバーナ。
【請求項２】
複数の前記補助炎孔で生成される前記補助火炎が連結されて前記火炎を囲い込むとともに、前記補助火炎が前記火炎より低い位置で燃焼して前記火炎を保炎することを特徴とする、請求項１に記載のバーナ。
【請求項３】
前記第１の混合気の流速は、前記第２の混合気の流速よりも速いことを特徴とする、請求項１または請求項２に記載のバーナ。
【請求項４】
前記補助炎孔と前記炎孔に供給されるガス量の比率が２０：８０の割合またはこの近傍の割合に設定されることを特徴とする、請求項１ないし請求項３のいずれかに記載のバーナ。
【請求項５】
前記補助炎孔には、設定された混合気量に対し、供給されるガス量または前記ガス量の比率に基づいて算出された空気量が供給されることを特徴とする、請求項４に記載のバーナ。
【請求項６】
前記補助炎孔の開口面積は、前記炎孔の開口面積に対して２．５倍以上であり、かつ前記炎孔の開口面積に対して３．０倍未満であることを特徴とする請求項１ないし請求項５のいずれかに記載のバーナ。
【請求項７】
前記第１の混合気を取り込んで前記炎孔側に流す第１の混合気流路と、
前記第２の混合気を取り込んで前記補助炎孔側に流す第２の混合気流路と、
を備え、前記第１の混合気流路と前記第２の混合気流路は、設定されるガス量の比率に応じて断面積が設定されることを特徴とする請求項１ないし請求項６のいずれかに記載のバーナ。
【請求項８】
第１の混合気により火炎を生成する複数の炎孔と、前記炎孔の周囲に配置され、前記第１の混合気と空気比の異なる第２の混合気により補助火炎を生成する複数の補助炎孔とを有する複数のバーナユニットを備え、前記第１の混合気および前記第２の混合気は空気比が１より大きいことを特徴とする燃焼装置。
【請求項９】
複数の炎孔に空気比が１より大きい第１の混合気により火炎を生成し、
前記炎孔の周囲に配置された複数の補助炎孔に、空気比が１より大きくかつ前記第１の混合気と異なる空気比の第２の混合気により補助火炎を生成する、
ことを特徴とする燃焼方法。
【発明の詳細な説明】
【技術分野】
【０００１】
本発明は、燃料ガスを燃焼させるバーナなどの燃焼技術に関する。
【背景技術】
【０００２】
ガス燃焼において、バーナに空気比が異なる濃淡の複数の混合気を流すものがある。淡混合気の空気比は１より大きく、燃料ガスの完全燃焼に必要な空気量よりも多くの空気を含むエアリッチガスとなっている。濃混合気の空気比は１より小さく、燃料ガスの完全燃焼に必要な空気量よりも少ない空気量のガスリッチガスとなっている。淡混合気の燃焼では、燃焼排気中の窒素酸化物（ＮＯｘ）を低減できる反面、燃焼の安定性が低い。これに対し、濃混合気の燃焼では燃焼の安定性が高い。このような両者の特性から、ＮＯｘの低減とともに燃焼の安定性を高め、淡混合気の火炎を濃混合気の火炎で保炎することが知られている。
【０００３】
このようなガス燃焼に関し、バーナの淡炎孔の両側に備えられた濃炎孔で袖火を形成し、この袖火により淡炎孔側の主炎を保炎することが知られている（たとえば、特許文献１）。
【先行技術文献】
【特許文献】
【０００４】
【特許文献１】特開２０１０−２６１６１５号公報
【発明の概要】
【発明が解決しようとする課題】
【０００５】
ところで、燃料ガスを燃焼させるバーナでは、燃焼排気中のＮＯｘやＣＯの低減化と炎の安定化を図るために、空気比が低い濃混合気で空気比が高い淡混合気を保炎する手段が採られている。この場合、濃混合気の比率が大きければ保炎性能の維持に有利である反面、空気比が低い混合気を増加することで空気不足で完全燃焼できない燃料ガスが増加し、低ＮＯｘ化、低ＣＯ化を実現するのが困難となる。ＮＯｘやＣＯの低減は空気比が高い淡火炎の割合を増やすことが望ましい。
【０００６】
しかし、単純に淡混合気の割合を増加させ、濃混合気の割合を減少させたのでは燃焼排気中のＮＯｘやＣＯの発生を抑えることはできるが、保炎性が低下してしまい、炎が吹き飛んでしまうリフティングが発生し、火炎が不安定となるという課題がある。
【０００７】
また、淡混合気側のガス量を減らすことで保炎側の炎孔を流れる混合ガスの流速が低下すると、炎の燃焼速度とのバランス低下により、炎孔内で混合ガスが燃えてしまうフラッシュバックが生じるおそれがある。
【０００８】
そこで、本発明の目的は上記課題に鑑み、ＣＯやＮＯｘの低減性能を向上させるとともに、燃焼の安定化を図ることにある。
【課題を解決するための手段】
【０００９】
上記目的を達成するため、本発明のバーナの一側面によれば、第１の混合気により火炎を生成する複数の炎孔と、前記炎孔の周囲に配置され、前記第１の混合気と異なる空気比の第２の混合気により補助火炎を生成する複数の補助炎孔とを備え、前記第１の混合気および前記第２の混合気は空気比が１より大きい。
【００１０】
前記バーナにおいて、複数の前記補助炎孔で生成される前記補助火炎が連結されて前記火炎を囲い込むとともに、前記補助火炎が前記火炎より低い位置で燃焼して前記火炎を保炎してもよい。
【００１１】
前記バーナにおいて、前記第１の混合気の流速は、前記第２の混合気の流速よりも速くてもよい。
【００１２】
前記バーナにおいて、前記補助炎孔と前記炎孔に供給されるガス量の比率が２０：８０の割合またはこの近傍の割合に設定されればよい。
【００１３】
前記バーナにおいて、前記補助炎孔には、設定された混合気量に対し、供給されるガス量または前記ガス量の比率に基づいて算出された空気量が供給されればよい。
前記バーナにおいて、前記補助炎孔の開口面積は、前記炎孔の開口面積に対して２．５倍以上であり、かつ前記炎孔の開口面積に対して３．０倍未満であってよい。
前記バーナにおいて、前記第１の混合気を取り込んで前記炎孔側に流す第１の混合気流路と、前記第２の混合気を取り込んで前記補助炎孔側に流す第２の混合気流路とを備え、前記第１の混合気流路と前記第２の混合気流路は、設定されるガス量の比率に応じて断面積が設定されてよい。
【００１４】
上記目的を達成するため、本発明の燃焼装置の一側面によれば、第１の混合気により火炎を生成する複数の炎孔と、前記炎孔の周囲に配置され、前記第１の混合気と空気比の異なる第２の混合気により補助火炎を生成する複数の補助炎孔とを有する複数のバーナユニットを備え、前記第１の混合気および前記第２の混合気は空気比が１より大きい。
【００１５】
上記目的を達成するため、本発明の燃焼方法の一側面によれば、複数の炎孔に空気比が１より大きい第１の混合気により火炎を生成し、前記炎孔の周囲に配置された複数の補助炎孔に、空気比が１より大きくかつ前記第１の混合気と異なる空気比の第２の混合気により補助火炎を生成する。
【発明の効果】
【００１６】
本発明によれば、次のような効果が得られる。
【００１７】
(1) １の炎孔の周囲を他の炎孔で包囲することで、保炎機能を高められ、火炎の安定化が図れる。
【００１８】
(2) 異なる空気比で、かつ共に空気比が１より大きい複数の混合気を発生させることで、保炎による炎を安定化させつつ、燃焼排気の低ＮＯｘ化および低ＣＯ化が図れる。
【００１９】
(3) 供給ガス量の変化に対して混合気の流速を低下させないことで、フラッシュバックの発生を抑えることができる。
【００２０】
そして、本発明の他の目的、特徴および利点は、添付図面および各実施の形態を参照することにより、一層明確になるであろう。
【図面の簡単な説明】
【００２１】
【図１】一実施の形態に係るバーナの構成例を示している。
【図２】各主混合気ｆ１および各補助混合気ｆ２の燃焼場を示している。
【図３】本発明のバーナの燃焼条件について、従来のバーナと比較して示している。
【図４】燃焼装置の構成例を示している。
【図５】バーナユニットの一例を示している。
【図６】バーナユニットの分解斜視図である。
【図７】バーナユニットの一部を拡大して示している。
【図８】図７のVIII−VIII線切断面を示している。
【図９】図７のIX −IX 線断面を示している。
【図１０】図８に示すバーナユニット部分における主火炎Ｆ１および補助火炎Ｆ２の状態の一例を示している。
【図１１】図９に示すバーナユニット部分における主火炎Ｆ１および補助火炎Ｆ２の状態の一例を示している。
【図１２】図７のXII −XII 部での主火炎Ｆ１および補助火炎Ｆ２の状態の一例を示している。
【図１３】図７のXIII−XIII線断面における主火炎Ｆ１および補助火炎Ｆ２の状態の一例を示している。
【図１４】Ａは空気比に対してバーナの燃焼で発生するＣＯ濃度の実験例の結果であり、Ｂは空気比に対してバーナの燃焼で発生するＮＯｘ濃度の実験例の結果を示している。
【図１５】バーナユニットを備える燃焼装置を給湯器に搭載し、実際に燃焼排ガス（ＮＯｘ）を測定した結果を示している。
【図１６】バーナユニットを備える燃焼装置を給湯器に搭載し、実際に燃焼排ガス（ＣＯ）を測定した結果を示している。
【図１７】バーナユニットの実験例を示す図である。
【図１８】バーナユニットの実験例を示す図である。
【図１９】燃焼負荷、比例弁電流値およびモータの回転数の関係を示す図である。
【図２０】燃焼装置の空気比調整に係るハードウェアの一例を示す図である。
【図２１】空気比の設定値の変形例を示す図である。
【発明を実施するための形態】
【００２２】
〔一実施の形態〕
【００２３】
図１は、一実施の形態に係るバーナの構成例を示している。このバーナ２は本開示のバーナの一例であり、本発明のバーナは斯かる構成に限定されない。
【００２４】
このバーナ２は、たとえばステンレス板などの耐熱性金属板でプレス加工されたプレート部材によって形成される所謂プレスバーナの一例であり、空気比の異なる混合気を流す複数の炎孔を備え、性質の異なる複数の火炎を燃焼させる。バーナ２には、たとえばメインの火炎を生成する主混合気ｆ１を排出する混合気排出部４と、燃焼により補助火炎を生成する補助混合気ｆ２を流す補助炎孔６−１、６−２を備える。主混合気ｆ１は本開示の第１の混合気の一例であり、燃焼により主火炎を生成する。また補助混合気ｆ２は、本開示の第２の混合気の一例であり、燃焼により補助火炎を生成する。主混合気ｆ１の空気比Ｘ１は、１よりも大きな値であり、所謂、エアリッチな状態である。また、補助混合気ｆ２の空気比Ｘ２は、主混合気ｆ１の空気比Ｘ１よりも小さく、かつ１よりも大きな値であり、所謂、エアリッチな状態である。
【００２５】
混合気排出部４は、たとえば長方形状のバーナ２の外形形状に沿って形成されたリボン８を備えている。このリボン８は主混合気ｆ１を整流する整流ユニットの一例である。リボン８には、主混合気ｆ１を排出して燃焼させる主炎孔１０と、絞り部１２が交互に形成されている。この絞り部１２は、混合気を排出させない部分の一例であり、リボン８上の各主炎孔１０の形成面積を区分するほか、主炎孔１０の形成個数が決まる。すなわち混合気排出部４では、複数の主炎孔１０による主混合ガスを流す開口面積が絞り部１２の数や大きさによって決まる。
【００２６】
補助炎孔６−１、６−２は、たとえばバーナ２の長手方向に沿ってリボン８の両側面側に開口している。このうち補助炎孔６−１は、主炎孔１０の開口位置に合せて配置されており、バーナ２の両縁側で補助混合気ｆ２を排出する。補助炎孔６−２は、絞り部１２の形成位置に合せて配置されており、絞り部１２の幅に応じて、バーナ２の内側で補助混合気ｆ２を排出する。すなわち、絞り部１２を跨いで対向する補助炎孔６−２同士の対向距離は、主炎孔１０を跨いで対向する補助炎孔６−１同士の対向距離よりも短い。そしてバーナ２では、主混合気ｆ１が補助混合気ｆ２に比較し流出量が多く、その流出速度を速くしている。
【００２７】
また、バーナ２には、リボン８が設置される混合気排出部４と補助炎孔６−１、６−２との間に、混合気を排出させない遮断部１４が形成されている。この遮断部１４は、主炎孔１０と補助炎孔６−１、６−２とを絶縁する絶縁域であるとともに、区画域を形成している。
【００２８】
＜淡混合気ｆ１および濃混合気ｆ２の燃焼＞
【００２９】
図２は、各主混合気ｆ１および各補助混合気ｆ２の燃焼場を示している。各主混合気ｆ１および補助混合気ｆ２が着火により燃焼状態に入ると、それぞれの燃焼場が形成される。バーナ２は、各主炎孔１０から排出された主混合気ｆ１に対し、その周囲を補助炎孔６−１、６−２から排出された補助混合気ｆ２で包囲する。そしてバーナ２では、主混合気ｆ１の燃焼により生成した主火炎Ｆ１を中心とし、この主火炎Ｆ１の周縁側であって、バーナ２側の低い位置に補助火炎Ｆ２が生成される。主火炎Ｆ１は、主混合気ｆ１の流速と燃焼により、主炎孔１０ごとに独立した炎が生成される。この例では、水平断面が長円状の主火炎Ｆ１が形成されているが、円形であってもよい。
【００３０】
遮断部１４では主混合気ｆ１の圧力が補助混合気ｆ２よりも低くなる。このような圧力関係を設定すれば、補助炎孔６−１、６−２ごとに独立することなく、補助火炎Ｆ２が遮断部１４にまわり込み、補助火炎Ｆ２が生成される。この補助火炎Ｆ２は、水平断面が長円状の主火炎Ｆ１を包囲する連鎖状態の環状火炎を形成する。これにより、各主火炎Ｆ１は主炎孔１０ごとに独立して形成されるのに対し、各主火炎Ｆ１の間隔部に補助火炎Ｆ２が存在するので、各主火炎Ｆ１が隣接する補助火炎Ｆ２によって全周保炎される。
【００３１】
また、主火炎Ｆ１と補助火炎Ｆ２の燃焼高さは、たとえばそれぞれ主混合気ｆ１と補助混合気ｆ２の流速、燃料ガスの組成に応じた燃焼速度、および燃料ガス比率に基づいて決まる。補助火炎Ｆ２は、たとえば燃焼高さを主火炎Ｆ１の燃焼高さよりも低くすることで、主火炎Ｆ１の根元側、すなわち、主炎孔１０に近い部分から保炎する。そこで、補助混合気ｆ２のガス流速が主混合気ｆ１のガス流速よりも遅くなるように主炎孔１０、補助炎孔６−１、６−２の開口面積は設定されればよい。
【００３２】
＜バーナユニット３０における濃淡比バランスおよび炎孔形状＞
【００３３】
このバーナ２は、従来の濃炎孔形状が淡火炎を水平方向のみで保炎するのに対し、補助炎孔６−２が主炎孔１０間に設置され、燃焼時に補助火炎Ｆ２が疑似的な円周火炎を生じ、主火炎Ｆ１を保炎できる。
【００３４】
このため、バーナ２に形成される円形状の補助火炎Ｆ２による保炎は、従来の平行面で接触させる保炎に比較し、炎の接触領域（つまり、面積）が拡大され、これにより、効率的な保炎が得られる。この保炎形態は疑似的な全周保炎であり、理想的な保炎形態である円形の主火炎Ｆ１を円形の補助火炎Ｆ２で取り囲む形態を形成している。
【００３５】
＜バーナ２の燃焼条件の設定について＞
【００３６】
図３は、本発明のバーナの燃焼条件について、従来のバーナと比較して示している。図３に示す設定条件や斯かる条件の設定手法、算出方法は一例であり、本発明が斯かる構成に限定されない。
【００３７】
＜主混合気と補助混合気のガス量比（補助混合気／主混合気Ratio）のバランスについて＞
【００３８】
本発明のバーナ２では、図３に示すように、補助混合気ｆ２と主混合気ｆ１のガス量の比率（以下、「ガス量比」と称する。）がたとえば２０：８０またはそれに近い比率（たとえば１６：８４〜２４：７６）に設定される（図３の「New Burner」）。従来の一般的なバーナでは、補助火炎による保炎能力や主火炎のリフトアップなどを防止するために、ガス量比が３０：７０程度（図３の「Current」）に設定されていた。このガス量比は、供給される燃料ガス量の割合である。
【００３９】
補助燃焼におけるガス量比は、バーナ２の性能や目的に応じて決定される。たとえば、騒音値の抑制や、振動燃焼の防止を高める場合には、補助混合気ｆ２のガス量の割合を高め、補助燃焼側の負荷を増加させる設定を行い、後述するように、空気比を低く設定した安定火炎である補助火炎Ｆ２の割合を増大させる。
【００４０】
また、排気ガス中のＣＯやＮＯｘなどの有害排気成分を下げたい場合には、主混合気ｆ１のガス量の割合を上げる設定が必要である。すなわち主混合気ｆ１の燃焼である主火炎は、補助混合気ｆ２の燃焼である補助火炎と比較して、空気比が高く設定され、空気過剰な状態で燃焼させるので、これらの有害成分の発生が抑えられる。
【００４１】
バーナ２は、主炎孔１０と補助炎孔６−１、６−２の構成により、各主火炎Ｆ１の間隔部に補助火炎Ｆ２を存在させて、各主火炎Ｆ１が隣接する補助火炎Ｆ２によって全周保炎されることで保炎性能が高められている。これにより、補助混合気ｆ２と主混合気ｆ１のガス量比を２０：８０またはそれに近い、超低ＮＯｘ規制の比率に設定しても、主火炎のリフトや振動燃焼などを防止することができる。
【００４２】
＜燃焼空気量（空気比、空燃比（ＡＦＲ：Air/fuel ratio））の設定について＞
【００４３】
本発明のバーナ２では、たとえば補助炎孔６−１、６−２に流す混合ガスの燃焼空気量について、予め設定された設定ガス流量（設定混合気量）を基準に設定すればよい。この設定された設定混合気量は、たとえば燃料ガスに含まれる成分に応じた燃焼速度や、主炎孔１０に流れる混合気量などに基づき、補助炎孔６−１、６−２において火炎のバックが発生しない値に設定される。この設定混合気量は、たとえば既述のように、ガス量比が３０：７０に設定されていた従来のバーナの補助炎孔側に流している混合気量を利用してもよい。
【００４４】
この実施の形態では、補助炎孔６−１、６−２に流す混合気量について、従来のバーナで設定されていた混合気量を利用する場合を説明する。また、この場合、従来のバーナと補助炎孔の面積を同一としている。
【００４５】
従来の補助炎孔に流す混合気量をＱA1、補助炎孔６−１、６−２に流す混合気量をＱA2とする。従来の混合気量ＱA1は、以下のように求めることができる。ここでは、燃料ガスとして、メタン（ＣＨ4）を主成分とした場合を想定する。
【００４６】
混合気量ＱA1  ＝  Ａ*（１＋（Ｑair *  ０．８））         ・・・(1)
式中のＡは供給される燃料ガス量であり、Ｑairは燃料ガスの理論空気量を示す。この式(1)では、従来のバーナの主炎孔の空気比（Air Ratio）が１．６に設定され、補助炎孔の空気比（Air Ratio）が０．８に設定された場合を想定している。すなわち、従来のバーナでは、補助炎孔に流す混合気は空気比が１以下のガスリッチであり、酸素不足の状態を維持している。
【００４７】
本発明のバーナ２では、補助炎孔６−１、６−２に、混合気量ＱA1と同量の混合気を流すように設定する。すなわち、
混合気量ＱA2  ＝（２／３）Ａ*（１＋（Ｑair *Ｘ1））  ＝  ＱA1  ・・・(2)
混合気中の燃料ガス量の割合が小さいと想定し無視すると、
（２／３）Ａ*（Ｑair *Ｘ1）＝Ａ*（Ｑair  *０．８）
Ｘ1  ＝  １．２５                      ・・・(3)
となる。式(2)中、Ｘ1は、バーナ２の補助炎孔６−１、６−２側の空気比である。
【００４８】
本発明のバーナ２では、ガス量比を、従来の３０：７０から２０：８０に変更している。補助炎孔６−１、６−２側に供給する燃料ガスの量の割合を２０とし、従来のバーナに比べて減らしている。式(2)では、補助火炎に流すガス量Ａを２／３にした場合であって、混合気量を維持するための空気比Ｘ1を求めている。
【００４９】
補助炎孔６−１、６−２側に流すガス量の比率を減らした場合、従来と同じ空気比を維持させようとすると、混合気の流速が低下してしまい火炎がバックしてしまうおそれがある。そのため、バーナ２では、補助炎孔６−１、６−２側に流すガス量の減少分に応じて空気量を増加させて混合気を維持させている。このように混合気中の空気量が多くなることで、空気比が１より大きいエアリッチの状態となる。また、バーナ２は、ガス量の減少分に応じて補助炎孔６−１、６−２の炎孔面積が減少することで、従来と同じ空気比で混合気の流速を維持することができるが、保炎機能の低下を招くおそれがある。なお、補助炎孔６−１、６−２の炎孔面積を従来のバーナよりも大きくする場合、その面積の増加分に合せて空気量を多く流せばよいが、バーナ２の表面積は限られているため、主炎孔１０の炎孔面積が狭まり、主混合気ｆ１の流速上昇を招くため、保炎性能が低下しない範囲に炎孔面積を設定する必要がある。
【００５０】
バーナ２では、主火炎を保炎する補助火炎側の空気比が１より大きくなっても、補助炎孔６−１、６−２による補助火炎Ｆ２が主火炎Ｆ１に対してパイロット保炎状態となることで、保炎機能が確保される。
【００５１】
このとき主混合気量ＱB2は、従来のバーナの主混合気量ＱB1に関係付けて流量が設定されてもよく、または主混合気量ＱB1に関係なく流量が設定されてもよい。さらに、補助混合気流速ＶA2および主混合気流速ＶB2は、たとえば形成された主炎孔１０または補助炎孔６−１、６−２の開口面積や供給流量から設定してもよい。
ここで、バーナ２の炎孔の開口面積は、たとえば補助炎孔６−１、６−２の開口面積ＦA2に対する主炎孔１０の開口面積Ｆa2が２．５倍以上の大きさとし、かつ３．０倍未満の大きさとなる。このとき、補助炎孔６−１、６−２の開口面積ＦA2は、たとえば従来のバーナの補助炎孔の開口面積ＦA1と同等の大きさに設定し、主炎孔１０の開口面積Ｆa2は、従来の主炎孔の開口面積Ｆa1よりも小さくなっている。
従来のバーナにおける補助炎孔の開口面積ＦA1と主炎孔の開口面積Ｆa1の面積割合Ｒ1は、たとえば０．３程度としたのに対し、バーナ２の補助炎孔６−１、６−２の開口面積ＦA2と主炎孔１０の開口面積Ｆa2の面積割合Ｒ2は、たとえば０．３５以上、より詳しくは０．３８以上となった。新たなバーナ２では、ガス量の流入割合を減らした補助火炎Ｆ２側に対し、主火炎Ｆ１側の開口面積が減ったことで混合ガスの流速が上昇した。また、主炎孔に対する補助炎孔の開口面積の割合が従来よりも大きくなり、補助炎孔に流れる補助混合気ｆ２の流速が速くなり、空気比が１以上となっても火炎がバックしないので、保炎機能が維持されている。
そのほか、バーナ２は、たとえば最大補助炎孔負荷ＩA2が従来のバーナの最大補助炎孔負荷ＩA1よりも低下するのに対し、最大主炎孔負荷Ｉa2が従来のバーナの最大主炎孔負荷Ｉa1よりも大きくなる。つまり、補助炎孔側のガス量比の低下と、主炎孔側のガス量比の上昇により、バーナの燃焼による負荷が変化している。このとき、空気比の小さい補助炎孔側の燃焼負荷が低下することで、ＣＯやＮＯｘの発生量を減らすことができる。さらに、主炎孔側の燃焼負荷の上昇で主炎孔側の炎のリフトが防止され、バーナの燃焼状態が維持されている。
【００５２】
＜燃料ガスの理論空気量について＞
【００５３】
ここで、燃料ガスに含まれるメタン（ＣＨ4：天然ガスの主成分）の燃焼に対する理論空気量は、以下の反応式から求める。
【００５４】
ＣＨ4 ＋２Ｏ2 ＋２（７９／２１）Ｎ2 
→  ＣＯ2 ＋２Ｈ2 Ｏ＋２（７９／２１）Ｎ2       ・・・(4) 
式(4) 中で、左辺の第２項、第３項目がメタン１〔mol〕を燃焼させる理論空気量（Ｑair）である。この算出処理において、空気中の構成は窒素（Ｎ2）が７９〔％〕、酸素（Ｏ2）が２１〔％〕としている。これによりメタン１〔mol〕を完全に燃焼させるのに必要な空気には、酸素が２〔mol〕、窒素が２*（７９／２１）＝２*３．７６〔mol〕含まれる。そして、斯かる構成を含む空気の量は、これらの値から、以下の式で求められる。
Ｑair ＝２Ｏ2 ＋２（７９／２１）Ｎ2
＝２（１＋３．７６）＝９．５２〔mol〕           ・・・(5)
式(5)の空気量を式(2)のＱairに代入すると、
Ｘ1  ≒  １．２５２５
となり、式(3)とほぼ同じになることがわかる。
【００５５】
燃料ガスに含まれるプロパン（Ｃ3Ｈ8）の理論空気量について求める。
Ｃ3Ｈ8 ＋ ５Ｏ2 ＋５（７９／２１）Ｎ2
→  ３ＣＯ2 ＋４Ｈ2 Ｏ＋５（７９／２１）Ｎ2   ・・・(6)
式(6) 中で、左辺の第２項、第３項目がプロパン１〔mol〕を燃焼させる理論空気量（Ｑair）である。プロパン１〔mol〕を完全に燃焼させるのに必要な空気には、酸素が５〔mol〕、窒素が５*（７９／２１）＝５*３．７６〔mol〕含まれる。そして、斯かる構成を含む空気の量は、これらの値から、以下の式で求められる。
Ｑair ＝５Ｏ2 ＋５（７９／２１）Ｎ2
＝５（１＋３．７６）＝２３．８〔mol〕        ・・・(7)
式(7)の空気量を式(2)のＱairに代入すると、
Ｘ1  ≒  １．２２１
となり、式(3)とほぼ同じになることがわかる。
【００５６】
燃料ガスである１３Ａ（メタン約８５〔％〕、プロパン約１５〔％〕）を燃焼させる場合の空気量は、式(5)、式(7)の算出結果と燃焼用空気に含まれる構成要素の割合から、以下の式(8) で求められる。すなわち、１３Ａのガス１〔mol〕を完全燃焼させるには、
０．８５*９．５２ ＋ ０．１５*２３．８ ＝１１．７〔mol〕・・・(8)
となる。
式(8)の空気量を式(2)のＱairに代入すると、
Ｘ1  ≒  １．２４２７
となり、式(3)とほぼ同じことがわかる。
【００５７】
バーナは、混合気の空気比を増やせば、燃焼空気量がその比に比例して増加する。その結果、混合気の流出速度も同様に増加するが、燃焼速度とのバランスにより火炎の安定度が決定される。
【００５８】
一般的に燃焼空気量が増加（空気比が増加）するほど、燃焼場は火炎にとって安定状態にある炎孔面上から離れた位置に形成される。また、空気量の増大により火炎温度が低下するので、火炎はより不安定な方向へ進む。更に空気量が増加すると、最終的には、火炎はリフトおよび失火を来たす。
【００５９】
このバーナ２は、プレスバーナであるから、主火炎Ｆ１側の空気比が高くなる。そのため、主火炎Ｆ１の安定化を求め、その空気比を下げれば、ＣＯおよびＮＯｘの発生量が増加する。そこで、補助火炎Ｆ２による保炎を利用し、主火炎Ｆ１側の空気比を高く採ることができる。
【００６０】
バーナ２の補助火炎Ｆ２の保炎機能が高いので、空気比の高い燃焼領域においても、主火炎Ｆ１が安定化するとともに、ＣＯの発生が低減される。
【００６１】
補助炎孔６−１、６−２側の空気比Ｘ1は、たとえば１より大きく１．６以下であるエアリッチ状態であればよい。空気比Ｘ1が１である状態において、ガス量比を、従来の３０：７０からＺ１：（１００−Ｚ１）に変更する場合、式(2)は、
混合気量ＱA2  ＝（Ｚ１／３０）Ａ*（１＋（Ｑair *１））  ＝  ＱA1
・・・(9)
となる。混合気中の燃料ガス量の割合が小さいと想定し無視すると、
Ａ*（Ｑair  *０．８）＝（Ｚ１／３０）Ａ*（Ｑair *１）
Ｚ１  ＝  ２４                              ・・・(10)
となる。
【００６２】
空気比Ｘ1が１．６である状態において、ガス量比を、従来の３０：７０からＺ２：（１００−Ｚ２）に変更する場合、式(2)は、
混合気量ＱA2  ＝（Ｚ２／３０）Ａ*（１＋（Ｑair *１．６））  ＝  ＱA1 
・・・(11)
となる。混合気中の燃料ガス量の割合が小さいと想定し無視すると、
Ａ*（Ｑair  *０．８）＝（Ｚ２／３０）Ａ*（Ｑair *１．６）
Ｚ２  ＝  １５                              ・・・(12)
となる。したがって、ガス量比は、たとえば１５：８５〜２４：７６に設定されればよい。
【００６３】
式(10)および式(12)から、補助混合気ｆ２のガスの割合を減らすと、補助混合気ｆ２の空気比は上昇することが分かる。一方、主混合気ｆ１の空気比は低下する。ここで、主混合気ｆ１の空気比は、補助混合気ｆ２の空気比と同じか大きいことが好ましい。
【００６４】
主混合気ｆ１の空気比と補助混合気ｆ２の空気比が同じＸ3となるガス量比Ｚ３：（１００−Ｚ３）を求める。補助混合気ｆ２の空気比Ｘ3において、ガス量比を、従来の３０：７０からＺ３：（１００−Ｚ３）に変更する場合、式(2)は、
混合気量ＱA2  ＝（Ｚ３／３０）Ａ*（１＋（Ｑair *Ｘ3））  ＝  ＱA1
・・・(13)
となる。混合気中の燃料ガス量の割合が小さいと想定し無視すると、
Ａ*（Ｑair  *０．８）＝（Ｚ３／３０）Ａ*（Ｑair *Ｘ3）      ・・・(14)
となる。同様に、空気比Ｘ3において、主混合気ｆ１は、新たなガス量比２０：８０において空気比１．６なので、
Ｂ*（Ｑair  *１．６）＝（（１００−Ｚ３）／８０）Ｂ*（Ｑair *Ｘ3）
・・・(15)
となる。式中のＢは供給される燃料ガス量である。式(14)および式(15)から、Ｚ３は、１５．７９である。したがって、ガス量比は、１６：８４〜２４：７６に設定されるのが好ましい。
【００６５】
＜燃焼速度について＞
【００６６】
メタンに代表される炭化水素の燃焼速度は空気比と密接に関係する。その燃焼速度は空気比１の付近で最大となり、その前後で遅くなる。これは、燃焼場形成位置が安定した炎孔面上から離れるので、不安定な火炎となる。燃焼速度は空気比が増加するほど遅くなるので、主火炎Ｆ１には安定した濃混合気の保炎が必要不可欠である。
【００６７】
そのほか、バーナ２の混合気量は、たとえば設定値に近い値を任意に設定してもよい。この場合、バーナ２では、たとえば設定流量に基づいて、任意に補助混合気流量ＱA2や主混合気流量ＱB2を所定の範囲内の比率に設定してもよい。
【００６８】
＜燃焼装置＞
【００６９】
図４は、燃焼装置の構成例を示している。この燃焼装置２０は、本発明の燃焼装置の一例である。
【００７０】
この燃焼装置２０は燃料ガスなどを燃料に用いる給湯装置や暖房給湯装置の熱源機として用いられる。燃焼装置２０には、装置筐体２２内に燃焼室２４が形成されている。この燃焼室２４は、装置筐体２２の側壁部２６によって包囲されている。燃焼室２４には燃料ガスを燃焼させるバーナ２８が設置されている。このバーナ２８は、本発明のバーナの一例であり、複数のバーナユニット３０を組み合せて構成されており、一例として一様な炎孔面が形成される。
【００７１】
側壁部２６の上部には燃焼室２４の周囲側に突出させた支持部３２が形成されている。この支持部３２の上面には図示しない熱交換器が設置され、バーナ２８の燃焼排気が流される。燃料ガスの燃焼により得られる燃焼排気の熱が熱交換器で熱交換される。
【００７２】
装置筐体２２の側壁部２６には複数の第１の燃料供給口３４−１および第２の燃料供給口３４−２が形成されている。燃料供給口３４−１は、バーナユニット３０の主炎孔１０側に燃料ガスを供給するための開口である。燃料供給口３４−２は、バーナユニット３０の補助炎孔６−１、６−２側に燃料ガスを供給するための開口である。
【００７３】
これら燃料供給口３４−１、３４−２の外側には共通の燃料供給部３６が設置されている。この燃料供給部３６には複数の第１の燃料噴射ノズル３８−１および第２の燃料噴射ノズル３８−２が備えられている。各燃料噴射ノズル３８−１は燃料供給口３４−１側に配置され、各燃料噴射ノズル３８−２は燃料供給口３４−２側に配置され、バーナユニット３０の内部に燃料ガスが供給される。この例では、燃料供給口３４−１がたとえば、長円形であり、燃料供給口３４−２はたとえば、円形である。燃料噴射ノズル３８−１および燃料供給口３４−１は、主炎孔１０への主混合気ｆ１の供給に用いられ、燃料噴射ノズル３８−２および燃料供給口３４−２は、補助炎孔６−１、６−２への補助混合気ｆ２の供給に用いられる。燃料供給口３４−１の開口面積が燃料供給口３４−２より大きく、この開口面積により燃料ガスの供給に対して空気の導入量を異ならせることにより、燃料供給口３４−１側で生成される主混合気ｆ１と燃料供給口３４−２側で生成される補助混合気ｆ２との空気比を異ならせている。
【００７４】
補助混合気ｆ２と主混合気ｆ１のガス量比の調整は、たとえば燃料噴射ノズル３８−２の開口面積と燃料噴射ノズル３８−１の開口面積の比率調整により行われる。このガス量比をたとえば２０：８０に設定するため、燃料噴射ノズル３８−２の開口面積と燃料噴射ノズル３８−１の開口面積の比率は、たとえば２０：８０に調整される。燃料供給口３４−１、３４−２の開口面積は、たとえば燃料噴射ノズル３８−１、３８−２の開口面積を基準に目標空気比になるように調整すればよい。この燃料供給口３４−１、３４−２の開口面積は、主混合気ｆ１および補助混合気ｆ２の空気比の相違や混合気の流れやすさの違いを考慮して孔径が設定され、または遮蔽板などの遮蔽部材で孔の一部を塞ぐことで調整されてもよく、燃料噴射ノズル３８−１、３８−２の開口面積の比率と異なっていてもよい。
【００７５】
また、装置筐体２２には、燃料供給口３４−１、３４−２側の側壁部２６を装置筐体２２の内側に窪ませて燃料供給室３９が形成されている。この燃料供給室３９は、燃料ガスを貯め、燃料供給口３４−１、３４−２に対して燃料ガスを供給する手段の一例であり、燃料供給部３６を構成している。
【００７６】
装置筐体２２の底面側は底面板４０によって塞がれている。この底面板４０には給気口４２が形成されている。この底面板４０の下面側には給気ファン４４が設置され、この給気ファン４４が給気口４２に連結されている。給気ファン４４にはモータ４６が備えられ、このモータ４６の回転により給気ファン４４から給気口４２に燃焼用空気が供給される。この燃焼用空気は燃料ガスの噴射に応じてバーナユニット３０内に導入され、燃料ガスの燃焼に用いられる。
【００７７】
＜バーナユニット３０について＞
【００７８】
図５は、バーナユニットの一例を示している。このバーナユニット３０は本発明のバーナの一例である。
【００７９】
バーナユニット３０はステンレス板などの耐熱性金属板でプレス加工されたプレート部材によって形成される所謂プレスバーナである。各バーナユニット３０には独立した混合部４８−１、４８−２（図６）が備えられている。混合部４８−１では燃料噴射ノズル３８−１から供給された燃料ガスと燃焼用空気とが混合され、主混合ｆ１が生成される。混合部４８−２では燃料噴射ノズル３８−２から供給された燃料ガスと燃焼用空気とが混合され、補助混合気ｆ２が生成される。また、バーナユニット３０には下側から炎孔側に向かって本体部５０、整流部５２および炎孔部５４が備えられ、これら各部はプレート部材で一体に形成されている。
【００８０】
本体部５０には混合気導入口５６−１、５６−２が上下二段に配置、形成されている。混合気導入口５６−１は偏平な六角形状や長孔などの開口であり、燃料供給口３４−１に連結されて主混合気ｆ１が導入される。混合気導入口５６−２は円形の開口であり、燃料供給口３４−２に連結されて補助混合気ｆ２が導入される。
【００８１】
整流部５２は本体部５０に導入された主混合気ｆ１、補助混合気ｆ２を整流し、炎孔部５４に導く。リボン８はバーナユニット３０の整流部５２にある混合気排出部４に設置されており、着脱可能である。
【００８２】
バーナユニット３０は、たとえば図６に示すように、リボン８の左右側に共通の金属プレートで形成された内壁プレート６０と外壁プレート６２とを接合して形成される。内壁プレート６０同士は、リボン８を挟んで対向して接合することで、接合部分に混合部４８−１や生成された主混合気ｆ１を排出する混合気排出部４が形成される。また、接合された外壁プレート６２同士は、内壁プレート６０との間に混合部４８−２や補助炎孔６−１、６−２が形成される。
【００８３】
炎孔部５４は、バーナユニット３０の上面に形成され、リボン８によって形成された複数の主炎孔１０を一定の間隔で備えるとともに、複数の第１および第２の補助炎孔６−１、６−２を規則的に一定の間隔で備える。この例では、混合気排出部４に少なくとも一個のリボン８により、１２個の主炎孔１０が一列に形成、配列されている。燃焼装置２０は、複数のバーナユニット３０が併設されることにより、主炎孔１０が複数行複数列に配列され、一様な面部を成す炎孔部５４が形成されている。リボン８は複数に分割されて混合気排出部４に設置されてもよい。
【００８４】
そして、このバーナユニット３０では、混合気導入口５６−１、５６−２および炎孔部５４を除き、プレート部材を密着させた縁部５８が形成されている。この縁部５８によってバーナユニット３０が補強されている。
【００８５】
図７は、バーナユニットの一部を拡大して示している。
【００８６】
リボン８はステンレスなどの金属プレートによりたとえば、プレス加工によって形成され、この実施の形態では、６枚の金属プレートで構成されている。このリボン８には主炎孔１０と絞り部１２とが交互に形成されている。主炎孔１０は、各金属プレートの屈曲角度を異ならせることにより、一例として６枚の金属プレートで主炎孔１０の配列方向と直交する方向に５つの長炎孔部６４が形成されている。各長炎孔部６４の形状は、リボン８の長手方向に中心線を取れば、この中心線を挟んで左右対称形である。このような複数の長炎孔部６４を形成したことにより主混合気ｆ１が整流され、平行流となって主炎孔１０から流出する。
【００８７】
各補助炎孔６−１の長手方向の幅は主炎孔１０の各長炎孔部６４の幅より小さく、各補助炎孔６−１の開口面積はひとつの長炎孔部６４の開口面積より小さい。これにより、補助炎孔６−１から流出する補助混合気ｆ２の流出速度を補助混合気ｆ２の燃焼速度より速くすることができる。
【００８８】
補助炎孔６−１、６−２は共通の内壁プレート６０と外壁プレート６２とを接合して形成されている。内壁プレート６０はたとえば、台形状に屈曲させて絞り部１２側に突出させ、外壁プレート６２も同様に補助炎孔６−２内に屈曲させて屈曲部６６を突出させている。これにより、各補助炎孔６−２はほぼ台形状の開口形状であり、外壁プレート６２の屈曲部６６だけ開口面積を小さくしている。このように形成されて配置された補助炎孔６−２は、補助炎孔６−１の開口面積より大きく、補助混合気ｆ２の流出量が補助炎孔６−１より多い。しかも、各補助炎孔６−２は、遮断部１４に張り出して絞り部１２に近づけられている。これにより、一対の補助炎孔６−２から流出する補助混合気ｆ２による補助火炎Ｆ２（図２）の結合化が図られる。補助炎孔６−１、６−２の面積比は前者が大きくてもよく、後者が大きくてもよい。
【００８９】
図８は、図７のVIII−VIII線切断面を示している。このバーナユニット３０の炎孔部５４にはリボン８で形成された主炎孔１０を挟んで一対の遮断部１４が形成され、各遮断部１４の外側に補助炎孔６−１が形成されている。補助炎孔６−１の内壁プレート６０の開口縁部は主炎孔１０と同一面に設置されている。これに対し、外壁プレート６２はたとえば内壁プレート６０より高さｈ１だけ高く設定されている。これにより炎孔部５４は高い外壁プレート６２の開口縁部によって包囲されている。
【００９０】
遮断部１４は、内壁プレート６０の中途部からリボン８側に突出させた突出部６８をリボン８に当接させることにより形成されている。
【００９１】
各補助炎孔６−１には補助混合気ｆ２が補助混合気供給路７０を通して本体部５０側から導かれる。
【００９２】
図９は、図７のIX −IX 線断面を示している。バーナユニット３０にはリボン８の絞り部１２を挟んで一対の遮断部１４が形成され、各遮断部１４の外側に一対の補助炎孔６−２が形成されている。
【００９３】
リボン８の中途部には金属プレートを外側に屈曲させた突出部６９が形成されている。各突出部６９は内壁プレート６０に当接されている。この内壁プレート６０の中途部はリボン８の絞り部１２側に張り出している。これにより、各補助炎孔６−２の対向間隔が狭められている。また、外壁プレート６２の屈曲部７２によって補助炎孔６−２の開口面積が狭められている。各補助炎孔６−２においても、高さｈ１だけ高い外壁プレート６２によって包囲されている。
【００９４】
＜主混合気ｆ１および補助混合気ｆ２の燃焼＞
【００９５】
各主混合気ｆ１および補助混合気ｆ２が着火により燃焼状態に入ると、各燃焼場が形成される。各主混合気ｆ１では、主混合気ｆ１の流速と燃焼により、主炎孔１０ごとに独立した主火炎Ｆ１が生成される。主混合気ｆ１は補助混合気ｆ２に比較して流出量が多く、その流出速度が速い。主炎孔１０から流出する各主混合気ｆ１は複数の補助炎孔６−１、６−２から流出する各補助混合気ｆ２によって包囲される。主火炎Ｆ１の形状は、たとえば水平断面が長円状のものや円形等がある。
【００９６】
図１０は、図８に示すバーナユニット部分における主火炎Ｆ１および補助火炎Ｆ２の状態の一例を示している。主火炎Ｆ１を挟んで一対の補助火炎Ｆ２が生成される。この場合、補助混合気ｆ２は主火炎Ｆ１との間の遮断部１４では圧力が主混合気ｆ１よりも高い。これにより、補助混合気ｆ２が遮断部１４にまわり込むことになる。補助火炎Ｆ２は、主火炎Ｆ１よりも混合気の流速が遅く、かつ炎孔面積が小さいため、炎が小さくなっている。これにより、火炎の長さが長く、さらに炎孔部５４から離れた位置で燃焼する主火炎Ｆ１に対し、補助火炎Ｆ２は、炎孔部５４の近傍で燃焼する。すなわち、補助火炎Ｆ２は、主火炎Ｆ１の根元付近で、主火炎Ｆ１を包囲するように燃焼する。このような燃焼状態を形成することで、共に混合気の空気比が１より大きい、所謂エアリッチ状態の火炎であっても、パイロット保炎状態となり、補助火炎Ｆ２が主火炎Ｆ１を保炎し、炎の吹き飛びを阻止する。
【００９７】
図１１は、図９に示すバーナユニット部分における主火炎Ｆ１および補助火炎Ｆ２の状態の一例を示している。この補助火炎Ｆ２は、各主火炎Ｆ１の間隔部に形成される。この補助火炎Ｆ２では、各補助炎孔６−２の部位で炎長が伸びて高くなる。各補助火炎Ｆ２は隣接した遮断部１４の圧力が補助混合気ｆ２よりも低く、既述の通り、補助混合気ｆ２で生成される補助火炎Ｆ２が遮断部１４にまわり込み、さらに、閉塞した絞り部１２にまわり込む。各補助炎孔６−２で形成される補助火炎Ｆ２は外壁プレート６２によって包囲されて連結が促進される。これにより、主火炎Ｆ１の周囲部は間断なく補助火炎Ｆ２で周回状態に囲い込まれ保炎される。
【００９８】
図１２は、図７のXII −XII 部での主火炎Ｆ１および補助火炎Ｆ２の状態の一例を示している。ひとつの主火炎Ｆ１に対し、複数の補助炎孔６−１、６−２によって補助火炎Ｆ２が形成されている。各補助火炎Ｆ２は補助炎孔６−１、６−２間の遮断部１４の圧力が補助混合気ｆ２よりも低く、遮断部１４側にまわり込む。まわり込んだ補助火炎Ｆ２は、絞り部１２の近傍及び長炎孔部６４近傍で燃焼する。補助火炎Ｆ２は、補助炎孔６−１、６−２の部位で炎長が伸びることから、凹凸状に波打った炎形状が生成される。
【００９９】
そして、図１３は、図７のXIII−XIII線断面における主火炎Ｆ１および補助火炎Ｆ２の状態の一例を示している。各主火炎Ｆ１は主炎孔１０ごとに独立して形成されるのに対し、各主火炎Ｆ１の間隔部に補助火炎Ｆ２が存在するので、各主火炎Ｆ１が隣接する補助火炎Ｆ２によって全周保炎される。
【０１００】
＜一実施の形態の効果および特徴事項＞
【０１０１】
(1) 燃焼機能
【０１０２】
補助炎孔６−１、６−２は、補助火炎Ｆ２を生成し、主火炎Ｆ１を保炎する。補助火炎Ｆ２は、安定火炎であり、ＣＯ、ＮＯｘ量が所定の規格で許される範囲で使用する。主炎孔１０が主熱源となる主火炎Ｆ１を生成する。主火炎Ｆ１は不安定な火炎であり、補助炎孔６−１、６−２の補助燃焼の保炎が不可欠である。
【０１０３】
(2) 使用空気比
【０１０４】
補助炎孔６−１、６−２側に流す補助混合気ｆ２の使用空気比は、１より大きな値とし空気過剰な状態に設定する。また、主炎孔１０側に流す主混合気ｆ１の使用空気比は、１．６程度に設定し、空気過剰に設定する。そして主混合気ｆ１と補助混合気ｆ２とは空気比を異ならせるとともに、主混合気ｆ１の空気比＞補助混合気ｆ２の空気比の関係に設定している。
【０１０５】
(3) 炎の安定度
【０１０６】
補助炎孔６−１、６−２の燃焼は空気比が１より大きいが、混合気流速を調整することで安定した炎となっている。主炎孔１０の燃焼火炎は、空気過剰で噴出速度が燃焼速度よりも速く、火炎温度が低いのでリフトを生じやすい。
【０１０７】
(4) 火炎形態
【０１０８】
補助炎孔６−１、６−２の補助燃焼は、噴出速度が燃焼速度に近く、補助火炎Ｆ２の火炎長が短く、小さい。主炎孔１０の主燃焼は、噴出速度が速く、高空気比（燃焼速度は遅くなる）で燃焼させる。このため、主燃焼では火炎長が長く、大きい火炎になる。
【０１０９】
(5) ＣＯの発生
【０１１０】
主炎孔１０の主燃焼でＣＯ発生を低減することができるとともに、補助炎孔６−１、６−２に流す補助混合気ｆ２を空気過剰にすることで、ＣＯの発生が抑えられる。
【０１１１】
(6) ＮＯｘの発生
【０１１２】
主混合気ｆ１および補助混合気ｆ２を共に空気過剰な状態にすることで、ＮＯｘの発生を低減できる。
【０１１３】
(7) リフト・バック
【０１１４】
補助炎孔６−１、６−２に流す補助混合気ｆ２は、ガス量を減らした分に対し、補助炎孔６−１、６−２の炎孔面積を従来のバーナの補助炎孔の炎孔面積と同等かそれよりも大きくするとともに空気を多く流すことで、火炎がバックしにくくなっている。また、補助火炎Ｆ２が主火炎Ｆ１を全周保炎することにより、保炎機能が強化され、主火炎Ｆ１のリフトが発生しにくい。また、濃火炎側に位置する淡火炎が濃火炎から保炎される従来のバーナの濃淡水平配置では、淡火炎が炎孔上近傍から離れることなく、安定した火炎が形成される。しかし、濃火炎側から離れた淡火炎では淡火炎同士のみの保炎となり、淡火炎長が長くなるので、リフトや過剰ＣＯが発生しやすい。空気比が高くなる場合や濃淡比が極端に低い場合では、その傾向が顕著となる。このため、このような燃焼では使用可能な燃焼領域（空気比、燃焼負荷）が制限されてしまう。これに対し本発明のバーナユニット３０では疑似的な全周保炎であるので、斯かる不都合はない。
【０１１５】
(8) 以上から、この実施の形態のバーナユニット３０によれば、次のような効果が得られる。
【０１１６】
a  主火炎に対する補助火炎の保炎機能が高められ、主火炎の燃焼の安定化を図ることができるとともに、主火炎および補助火炎の燃焼によりＣＯやＮＯｘの低減を図ることができる。
【０１１７】
b  ＣＯやＮＯｘの低減および燃焼の安定化により、使用可能な空気比の幅が広がり、空気比の低減ができるので、給気ファン４４の給気能力を抑えることができる。
【０１１８】
c  燃焼の制御性が高められるとともに、バーナのコンパクト化や高出力化が図られる。
【０１１９】
＜濃淡比バランス（空気比を考慮）＞
【０１２０】
各補助炎孔６−１、６−２には、炎孔形状、炎孔面積、ガス量比などの制御項目が含まれる。ガス量比の決定には、補助火炎Ｆ２および主火炎Ｆ１の空気比を考慮する必要がある。たとえば、補助炎孔６−１、６−２側に流す補助混合気ｆ２の空気比を１より大きくすれば、補助火炎Ｆ２は主火炎Ｆ１に近い燃焼となる。この補助火炎Ｆ２は、ＣＯ、ＮＯｘ（空気比１．２以上でＮＯｘは低減可能）の排出を低下させる反面、補助火炎Ｆ２を形成する補助混合気ｆ２の噴出速度の増加や火炎温度の低下を生じ、リフト傾向が強くなる可能性がある。本発明のバーナユニット３０は、斯かる観点を考慮し、ガス流量比バランスを取るとともに、補助炎孔に流す混合気の流量を少なくすることで、ＣＯとＮＯｘの排出を同時に抑えた補助火炎Ｆ２の生成を実現している。
【０１２１】
各補助炎孔６−１、６−２では、主火炎Ｆ１に対して補助火炎Ｆ２で全周保炎を行うので、補助火炎Ｆ２の空気比を主火炎Ｆ１寄りに設定している。補助火炎Ｆ２の空気比を増大し、補助火炎Ｆ２がリフト方向に推移しても、保炎機能が高くなる。この結果、主に補助火炎Ｆ２で発生していたＣＯおよびＮＯｘを低減できる。補助火炎Ｆ２の空気比を理論空気量のλ＝１付近に設定すれば、サーマルＮＯｘが顕著となるので、サーマルＮＯｘの生成速度が低下する。この場合、火炎温度をたとえば、１，８００〔℃〕未満とし、空気比は１．２以上に設定すればよい。
【０１２２】
＜濃淡比バランス＞
【０１２３】
混合気のガス量比は、バーナユニット３０の性能や目的に応じて決定される。たとえば、騒音値の抑制や、振動燃焼の防止を高める場合には、ガス量比を高める（補助燃焼側の負荷の増加）設定を行い、安定火炎である補助火炎Ｆ２の割合を増大させる。また、排気ガス中のＣＯやＮＯｘなどの有害排気成分を下げたい場合には、補助混合気ｆ２の空気比を下げる設定が必要である。主混合気ｆ１の燃焼である淡燃焼は、補助混合気ｆ２の燃焼である補助燃焼と比較して、過剰空気比で燃焼を行うので、これらの有害成分の発生が抑えられる。
【０１２４】
＜実験結果＞
【０１２５】
(1) 空気比、空燃比と燃焼排ガスとの関係について
【０１２６】
図１４は、バーナに流す混合気の空気比に対し、燃焼により生じるＣＯ濃度（図１４のＡ）またはＮＯｘ濃度（図１４のＢ）を計測した結果を示している。Ａは、本発明に係る燃焼装置２０の実験結果であり、Ｂは比較例として従来のバーナによる測定結果である。なお、測定値Ａはガス量の濃淡比が２０：８０であり、測定値Ｂはガス量の濃淡比が３０：７０の場合であり、インプット５８．１〔ｋＷ〕である。
図１４のＡに示すように、バーナ２での混合ガスの燃焼に対し、測定値Ａおよび測定値Ｂはいずれの場合も、空気比がたとえば１．３０から１．５５までの間で燃焼排気に含まれるＣＯの濃度が減少していき、空気比が１．５５以上になるとＣＯ濃度が上昇している。
同じ空気比に設定した場合、測定値Ａの方が測定値ＢよりもＣＯ濃度が低い値となった。
また、図１４のＢに示すように、バーナ２での混合ガスの燃焼に対し、測定値Ａは、空気比１．３０付近と１．４０との間で、ＮＯｘの発生量が急激に減少し、空気比１．４以上ではＮＯｘの発生量は、徐々に減少していく。そして、測定値Ａでは、ＮＯｘ値が１０〔ｐｐｍ〕付近に漸近していく。
また、測定値Ｂでは、たとえば空気比１．３５から１．４５付近までＮＯｘの発生量が急激に減少し、空気比が１．５以上になるとＮＯｘの発生量が徐々に減少している。
この測定においても、同じ空気比に設定した場合、測定値Ａの方が測定値ＢよりもＮＯｘ濃度が低い値となった。
斯かる実験結果から、補助炎孔側のガス濃度と主炎孔側のガス濃度の比率である、濃淡比を２０：８０に設定した場合、濃淡比を３０：７０に設定した場合よりも燃焼により発生するＣＯ濃度およびＮＯｘ濃度の低減が図れる。
【０１２７】
次に、図１５、図１６は、バーナユニット３０を備える燃焼装置２０を給湯器に搭載し、実際に燃焼排ガス（ＮＯｘおよびＣＯ）を測定した結果を示している。図１５に示すように、空燃比とＮＯｘの関係において、基準値のラインは国際的にも大変厳しい排出基準であるアメリカのカリフォルニア州のＮＯｘ規制値である。従来のバーナ（Ｂ）では、高空燃比にすれば、基準に達することができるが、バーナユニット３０（Ａ）を用いれば、広い空燃比幅で基準値を下回るＮＯｘ排出量が実現される。図１５は、空燃比とＮＯｘの関係を示しているが、空気比とＮＯｘの関係は、空燃比とＮＯｘの関係と同一または類似の傾向を有する。つまり、従来のバーナでは、高空気比にすれば、基準に達することができるが、バーナユニット３０を用いれば、広い空気比幅で基準値を下回るＮＯｘ排出量が実現される。
【０１２８】
図１６に示すように、空燃比とＣＯ〔％〕の関係において、基準値のラインは国際的にも大変厳しい排出基準であるＡＮＳＩ  Ｚ２１．１０．３（北米給湯器基準）の規制値を表している。ＮＯｘの結果と同様に、バーナユニット１２（Ａ）では、広い空燃比幅で、基準値以下のＣＯ排出量となることがわかる。図１６は、空燃比とＣＯ〔％〕の関係を示しているが、空気比とＣＯ〔％〕の関係は、空燃比とＣＯ〔％〕の関係と同一または類似の傾向を有する。つまり、バーナユニット１２では、広い空気比幅で、基準値以下のＣＯ排出量となることがわかる。従来のバーナでは基準値以下にはならない。
【０１２９】
従来のバーナでは、最良の空燃比としてＣの近傍値が使用されているが、既述のバーナユニット３０では、第１の手段として空燃比および空気比を下げればよい。また、主混合気ｆ１の流出速度が上昇するとＣＯの発生率も上昇するが、図１６のグラフから明らかなように、主混合気ｆ１の流出速度が上昇しても（空燃比および空気比が増えると燃焼速度が増す）、ＣＯ〔％〕はある程度の低い値を維持するので、第２の手段として主混合気ｆ１の流出速度を上昇させればよい。従って、これら第１および第２の手段の組合せ、または、いずれか一方の実施により、炎孔部５４の単位面積あたりの熱量を維持ないし上昇させながら、ＣＯおよびＮＯｘなどの排出を低減することができる。
【０１３０】
(2) 本発明のバーナユニット３０の空気比の状態および混合気流速に対する燃焼状態について
【０１３１】
バーナユニット３０は、図１７に示すように、各主炎孔１０および各補助炎孔６−１、６−２において、設定された空気比となるように混合気を流出することができる。このうち、補助炎孔６−１、６−２については、バーナユニット３０の主炎孔を中心とし、左右側の補助火炎をそれぞれ１組みとして空気比を測定している。斯かる計測によれば、バーナ２では、多少の誤差はあるが、主火炎の空気比が平均１．６６となり、補助火炎の平均が左右共に１．２２となった。
【０１３２】
斯かるバーナユニット３０を備える燃焼装置２０について、たとえば図１８に示すように、所定の燃焼負荷（Input）毎の混合気流速を測定している。斯かる測定によれば、本発明のバーナユニット３０および従来のバーナは、燃焼負荷に対する補助火炎の混合気流速の範囲が重なっている。これにより、ガス量比を低下させた本発明のバーナユニット３０は、従来の濃淡の混合気で燃焼させたバーナと同等な燃焼状態を発揮している。そして、バーナユニット３０では、斯かる燃焼負荷に対する混合気流速を維持することで、補助炎孔６−１、６−２において火炎のバックが発生することはない。
【０１３３】
〔他の実施の形態〕
【０１３４】
(1) 上記一実施の形態では、バーナ２に流す補助混合気の空気比や混合気量について、予め設定された値や、従来のバーナの混合気量を利用して算出する場合を示したが、これに限られない。補助混合気の空気比や混合気量は、たとえば補助混合気流速ＶA1、ＶA2の算出により設定してもよい。つまり、バーナ２では、たとえば混合気流速ＶA2が従来のバーナの補助炎孔から排出される混合気流速ＶA1と同じになるように、混合気量ＱA2を設定してもよい。
【０１３５】
(2) その他バーナ２では、ガス量比の値が設定された上で、補助混合気ｆ２の空気比Ｘ1-1や補助混合気量ＱA3について、所定の条件範囲内で任意に設定可能にされてもよい。
【０１３６】
(3) 上記一実施の形態では、補助炎孔６−１が単一の開口部で形成される場合を示したがこれに限られず、補助炎孔６−１が主炎孔１０に並んで複数個で形成してもよい。
【０１３７】
(4) 補助炎孔６−２は、たとえばリボン８の絞り部１２側に張出先端部を当接する配置としてもよい。これにより絞り部１２を挟む補助火炎Ｆ２を密着させ、主火炎Ｆ１に対する保炎機能を高めることができる。
【０１３８】
(5) 上記一実施の形態では、主炎孔１０の孔形状を偏平な六角形状としているが、長円形または円形としてもよい。
【０１３９】
(6) 上記一実施の形態では、補助炎孔６−１の孔形状を偏平な長方形としているが、長円形または円形としてもよい。
【０１４０】
(7) 上記一実施の形態では、補助炎孔６−２の孔形状を台形状としているが、長円形または円形としてもよい。
【０１４１】
(8) 上記一実施の形態の補助炎孔６−２の間にある遮断部１４に第３の補助炎孔を形成し、主火炎を保炎する形態としてもよい。
【０１４２】
(9) 上記実施の形態では、混合気の空気比を一定の値に設定して燃焼させる場合を示したがこれに限られない。燃焼装置２０では、たとえばバーナユニット３０の燃焼量に応じて空気比を調整してもよい。燃焼装置２０は、たとえば給気ファン４４のモータ４６の回転数制御や燃料ガスの供給量を制御することで、混合気の空気比を調整すればよい。このとき、主混合気ｆ１と補助混合気ｆ２は、空気比がともに１より大きくなればよい。
【０１４３】
混合気の空気比は、たとえば図１９において実線で示されている燃焼負荷に対応するガス比例弁の電流値と、破線で示されている比例弁電流値に対応する給気ファン４４のモータ４６の回転数に基づき調整すればよい。たとえば、燃焼負荷が４０〔ｋＷ〕であるとき、ガス比例弁の電流値は燃焼負荷が４０〔ｋＷ〕に対応する８８〔ｍＡ〕に設定し、モータ６６の回転数は、比例弁電流値８８〔ｍＡ〕に対応する４０００〔ｒ／ｍｉｎ〕に設定する。図１９に示す燃焼負荷、比例弁電流値およびモータの回転数の関係は、燃焼負荷に対応するガス比例弁の電流値および所定空気比になる給気ファン４４のモータ４６の回転数を収集して事前に作成すればよい。この燃焼負荷、比例弁電流値およびモータの回転数の関係に基づきたとえば、燃焼負荷、比例弁電流値およびモータの回転数の関係を表す関係テーブルが作成される。
【０１４４】
図２０は、燃焼装置２０の空気比調整に係るハードウェアの一例を示している。燃焼装置２０に含まれるメモリ部７４は、既述の関係テーブルを格納する。このメモリ部７４は、データを記憶する記憶部の一例であって、たとえばフラッシュメモリやＥＥＰＲＯＭ（Electrically Erasable and Programmable Read Only Memory）などの記憶装置で構成する。燃焼装置２０に含まれる制御部７６は、メモリ部７４に含まれるテーブルを読み出し、燃焼装置２０に含まれるガス比例弁７８の開度を調整して燃料ガスの供給量を調整し、給気ファン４４のモータ４６の回転数を調整して空気の供給量を調整する。すなわち、制御部７６は、関係テーブルに基づき混合気の空気比を調整および維持する。メモリ部７４、制御部７６、給気ファン４４のモータ４６およびガス比例弁７８は、接続線８０により接続される。
【０１４５】
関係テーブルは、たとえばバーナの全面燃焼または半面燃焼などの燃焼面積の切替えによる燃焼段数に関わらず設定されてもよく、燃焼段数毎に設定されてもよい。
【０１４６】
空気比が１以上の場合、燃焼速度は空気比が大きくなると遅くなり、空気比が１に近づくにつれて速くなるため、空気比の変化と燃焼速度の変化とが関連している。そこで、燃焼量の多寡に応じて空気比を調整することで、燃料ガスの無駄を防止するほか、ＣＯやＮＯｘの発生が起きにくくなる。また、燃焼装置２０では、燃焼が安定し易い空気比に調整すればよい。
そこで、燃焼装置２０では、たとえば図２１のＡに示すように、ガス量比を２０：８０に維持した上で、補助炎孔と主炎孔の空気比（Air Ratio）を変化させてもよい。燃焼装置２０は、たとえば制御部７６の制御指示により給気ファン４４のモータ４６の回転数の制御やガス供給量の調整により、補助炎孔側の空気比を１．０〜１．３に変動させてもよい。このとき、補助炎孔側の空気比に応じて、主炎孔側の空気比を１．４〜１．７に設定してもよい。補助炎孔側の空気比と主炎孔側の空気比は互いに連動した値が設定されればよい。空気比の調整は、たとえばバーナの燃焼量の増減に応じて行ってもよい。
さらに、燃焼装置２０では、たとえば図２１のＢに示すように、補助炎孔と主炎孔に対する空気比の割合を同じ値に設定してもよい。空気比を同じ値に設定しても、それぞれの炎孔に流れる混合気の流量や流速の違いにより、補助火炎Ｆ２が主火炎Ｆ１よりも低い位置で燃焼することで、保炎機能を発揮できる。
【０１４７】
(10) 上記実施の形態では、主混合気ｆ１の空気比が補助混合気ｆ２の空気比よりも大きい、すなわち、エアリッチな状態である場合を示したが、これに限らない。補助混合気ｆ２の空気比が主混合気ｆ１の空気比よりも大きな値となってもよい。
【０１４８】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【産業上の利用可能性】
【０１４９】
本発明のバーナ、燃焼装置または燃焼方法によれば、バーナによる保炎機能を高めることができ、安定性の高い燃焼が得られるとともに、空気過剰な混合気同士を燃焼させることができるので、窒素酸化物の排出量が削減されるなど有益である。
【符号の説明】
【０１５０】
２、２８  バーナ
４  混合気排出部
６−１、６−２  補助炎孔
８  リボン
１０  主炎孔
１２  絞り部
１４  遮断部
２０  燃焼装置
３０  バーナユニット
３４−１、３４−２  燃料供給口
３６  燃料供給部
３８−１、３８−２  燃料噴射ノズル
４２  給気口
４４  給気ファン
４８−１、４８−２  混合部
５２  整流部
５４  炎孔部
５６−１、５６−２  混合気導入口
６０  内壁プレート
６２  外壁プレート
６４  長炎孔部
６６、７２  屈曲部
６８、６９  突出部
７０  補助混合気供給路
７４  メモリ部
７６  制御部
７８  ガス比例弁
８０  接続線
【図１】
2018025380.tif 000003
【図２】
2018025380.tif 000004
【図３】
2018025380.tif 000005
【図４】
2018025380.tif 000006
【図５】
2018025380.tif 000007
【図６】
2018025380.tif 000008
【図７】
2018025380.tif 000009
【図８】
2018025380.tif 000010
【図９】
2018025380.tif 000011
【図１０】
2018025380.tif 000012
【図１１】
2018025380.tif 000013
【図１２】
2018025380.tif 000014
【図１３】
2018025380.tif 000015
【図１４】
2018025380.tif 000016
【図１５】
2018025380.tif 000017
【図１６】
2018025380.tif 000018
【図１７】
2018025380.tif 000019
【図１８】
2018025380.tif 000020
【図１９】
2018025380.tif 000021
【図２０】
2018025380.tif 000022
【図２１】
2018025380.tif 000023